(57)【要約】【課題】光ディスクの内周と外周での特性変化を考慮したターゲットを設定してランニングＯＰＣを実施することで、全周に渡って良好な記録品質を得る。【解決手段】システムコントローラ１０は、光ディスク１の内周側でのＯＰＣの実施によって決定されたレーザパワーで光ディスク１の外周側にてテスト書き込みを実施してアシンメトリ値を計測し、前記ＯＰＣ実施により決定されたレーザパワーでのアシンメトリ値と前記テスト書き込みで計測したアシンメトリ値との差分からアシンメトリ値の近似式を算出し、光ディスク1の書き込み位置での目標となるアシンメトリ値を前記近似式に従って随時設定してランニングＯＰＣを実施する。【選択図】図１
2007328844.tif 000002
【特許請求の範囲】
【請求項１】
光ピックアップによる光ディスクへの記録時に、記録中のレーザパワーを制御するランニングＯＰＣ（Optimum Power Control）を実施する制御部を備えた光ディスク記録再生装置において、
前記制御部は、光ディスク内周側でのＯＰＣの実施によって決定されたレーザパワーで光ディスク外周側にてテスト書き込みを実施してアシンメトリ値を計測し、前記ＯＰＣ実施により決定されたレーザパワーでのアシンメトリ値と前記テスト書き込みで計測したアシンメトリ値との差分からアシンメトリ値の近似式Ａを算出し、前記光ディスクの書き込み位置での目標となるアシンメトリ値を前記近似式Ａに従って随時設定して前記ランニングＯＰＣを実施するとともに、前記近似式Ａは、前記ＯＰＣ実施により決定されたレーザパワーでのアシンメトリ値をＡ１、前記テスト書き込みで計測したアシンメトリ値をＡ２、光ディスク内周側のＯＰＣ実施位置から外周側でのテスト書き込み位置までの距離をＸとすると、
Ａ＝（Ａ２−Ａ１）／Ｘ＋Ａ１
であることを特徴とする光ディスク記録再生装置。
【請求項２】
光ピックアップによる光ディスクへの記録時に、記録中のレーザパワーを制御するランニングＯＰＣ（Optimum Power Control）を実施する制御部を備えた光ディスク記録再生装置において、
前記制御部は、光ディスク内周側でのＯＰＣの実施によって決定されたレーザパワーで光ディスク外周側にてテスト書き込みを実施してアシンメトリ値を計測し、前記ＯＰＣ実施により決定されたレーザパワーでのアシンメトリ値と前記テスト書き込みで計測したアシンメトリ値との差分からアシンメトリ値の近似式を算出し、前記光ディスクの書き込み位置での目標となるアシンメトリ値を前記近似式に従って随時設定して前記ランニングＯＰＣを実施することを特徴とする光ディスク記録再生装置。
【請求項３】
前記制御部は、前記光ディスクにデータの書き込みを行うたびに前記テスト書き込みを実施してアシンメトリ値を計測し、前記ＯＰＣ実施により決定されたレーザパワーでのアシンメトリ値と前記テスト書き込みで計測したアシンメトリ値との差分から近似式をその都度算出することを特徴とする請求項２に記載の光ディスク記録再生装置。
【請求項４】
前記近似式Ａは、前記ＯＰＣ実施により決定されたレーザパワーでのアシンメトリ値をＡ１、前記テスト書き込みで計測したアシンメトリ値をＡ２、光ディスク内周側のＯＰＣ実施位置から外周側でのテスト書き込み位置までの距離をＸとすると、
Ａ＝（Ａ２−Ａ１）／Ｘ＋Ａ１
であることを特徴とする請求項３に記載の光ディスク記録再生装置。
【請求項５】
光ピックアップによる光ディスクへの記録時に、記録中のレーザパワーを制御するランニングＯＰＣ（Optimum Power Control）を実施する制御部を備えた光ディスク記録再生装置において、
前記制御部は、光ディスク内周側でのＯＰＣの実施によって決定されたレーザパワーで光ディスク半径方向の複数箇所にてテスト書き込みを実施してそれぞれアシンメトリ値を計測し、前記ＯＰＣ実施により決定されたレーザパワーでのアシンメトリ値と前記テスト書き込みで計測したそれぞれのアシンメトリ値とに基づいてアシンメトリ値の近似式を算出し、前記光ディスクの書き込み位置での目標となるアシンメトリ値を前記近似式に従って随時設定して前記ランニングＯＰＣを実施することを特徴とする光ディスク記録再生装置。
【請求項６】
光ピックアップによる光ディスクへの記録時に、記録中のレーザパワーを光ディスクからの反射光量により制御するランニングＯＰＣ（Optimum Power Control）を実施する制御部を備えた光ディスク記録再生装置において、
前記制御部は、光ディスク内周側でのＯＰＣの実施によって決定されたレーザパワーで光ディスク外周側にてテスト書き込みを実施して光ディスクからの反射光量を計測し、前記ＯＰＣ実施により決定されたレーザパワーでの反射光量と前記テスト書き込みで計測した反射光量との差分から反射光量の近似式を算出し、前記光ディスクの書き込み位置での目標となる反射光量を前記近似式に従って随時設定して前記ランニングＯＰＣを実施することを特徴とする光ディスク記録再生装置。
【発明の詳細な説明】
【技術分野】
【０００１】
本発明は、光ピックアップによる光ディスクへの記録時に、記録中のレーザパワーを制御するランニングＯＰＣ（Optimum Power Control）を実施する制御部を備えた光ディスク記録再生装置に関する。
【背景技術】
【０００２】
ＤＶＤ（Digital Versatile Disk）等の光ディスクにデータを記録することができる光ディスク記録再生装置においては、光ディスクにレーザ光を照射する光ピックアップのレーザパワーによって光ディスクに形成される記録部のアシンメトリ（非対称性）が相違することを利用して、その光ディスクに対する最適なレーザパワーを算定するように構成されている。すなわち、このような装置では、光ディスクの内周側に設けられているパワーキャリブレーションエリア（ＰＣＡ：Power Calibration Area）に、光ピックアップのレーザパワーを変化させながら試し書き用のデータを記録させ、この試し書き用のデータの記録部のアシンメトリが例えばゼロであるレーザパワーを取得し、これを記録時の最適レーザパワーとして用いてデータの記録を行うようになっている。
【０００３】
ところが、光ディスクは、一般に、その製法上（例えば、反射膜層の不均一等）の理由から、レーザ光に対する感度を一定に維持することが困難であり、特に、光ディスクの感度特性は周方向に変動する傾向がある。
【０００４】
そこで、このような感度特性の変化や周囲温度変化に対応する手段として、光ピックアップによる光ディスクへの記録時に、記録中のレーザパワーを制御するランニングＯＰＣを実施することにより、光ディスクへの書き込み品質の均一化が行われている（例えば、特許文献１参照）。
【０００５】
特許文献１に記載のものは、記録する光ディスクに応じて、記録する半径位置により、ランニングＯＰＣのターゲットβをかえて記録するものであり、具体的には、ＺｏｎｅＣＬＶにおいて、各記録線速度で、それぞれの記録線速度に適したターゲットβ値にかえて記録することで、良好な記録特性を得るようになっている。
【特許文献１】特開２００３−２２８８３２号公報
【発明の開示】
【発明が解決しようとする課題】
【０００６】
しかし、上記特許文献１も含め、従来のランニングＯＰＣでは、以下に示す問題があった。すなわち、上記のような連続書き込み式のランニングＯＰＣでは、反射光などをパラメータとしてターゲットβを決定しているが、光ディスクの内周と外周での反射率特性の変化が考慮されていない。また、リードバック式のＯＰＣでは、書き込みを行ったところをリードバックしてアシンメトリ値を計測し、このアシンメトリ値を一定に保つように制御しているが、光ディスクの内周と外周でのアシンメトリ特性の変化が考慮されていない。すなわち、特許文献１のものは、各記録線速度に適したターゲットβ値に変更しているが、その変更するβ値自体が反射率特性変化やアシンメトリ特性変化の考慮された値になっていない。
【０００７】
そのため、光ディスクの途中から書き込みを行った場合、書き込み開始直後の特性が把握できず、記録品質が悪くなる可能性があり、また場合によってはそのままの状態を継続してしまうといった問題があった。
【０００８】
本発明はかかる問題点を解決すべく創案されたもので、その目的は、光ディスクの内周と外周での特性変化を考慮したターゲットを設定してランニングＯＰＣを実施することで、全周に渡って良好な記録品質が得られる光ディスク記録再生装置を提供することにある。
【課題を解決するための手段】
【０００９】
上記課題を解決するため、本発明の光ディスク記録再生装置は、光ピックアップによる光ディスクへの記録時に、記録中のレーザパワーを制御するランニングＯＰＣを実施する制御部を備えた光ディスク記録再生装置において、前記制御部は、光ディスク内周側でのＯＰＣの実施によって決定されたレーザパワーで光ディスク外周側にてテスト書き込みを実施してアシンメトリ値を計測し、前記ＯＰＣ実施により決定されたレーザパワーでのアシンメトリ値と前記テスト書き込みで計測したアシンメトリ値との差分からアシンメトリ値の近似式を算出し、前記光ディスクの書き込み位置での目標となるアシンメトリ値を前記近似式に従って随時設定して前記ランニングＯＰＣを実施することを特徴とする。
【００１０】
光ディスク記録再生装置では、光ディスクにデータを記録する前に、記録レーザパワーの最適化（ＯＰＣ）を行っている。すなわち、前もってパワーキャリブレーションを実施して試し書きを行い、その後の記録に最適なレーザパワーを決定している。このＯＰＣは、光ディスクの内周側に設けられたパワーキャリブレーションエリア（ＰＣＡ）に、記録レーザパワーの異なるデータを記録し、その記録したデータを再生することで行っている。
【００１１】
制御部は、このＯＰＣの実施によって決定されたレーザパワーで光ディスク外周側にてテスト書き込みを実施してアシンメトリ値を計測し、前記ＯＰＣ実施により決定されたレーザパワーでのアシンメトリ値と前記テスト書き込みで計測したアシンメトリ値との差分からアシンメトリ値の近似式を算出する。すなわち、光ディスクの内周と外周で反射率特性の変化やアシンメトリ特性の変化が無い場合には、両アシンメトリ値は一致するはずであり、これら特性に変化がある場合には、両アシンメトリ値の差分として現れる。従って、この差分を考慮した近似式を算出し、この近似式を用いてランニングＯＰＣのターゲットアシンメトリ値を設定することにより、反射率特性変化やアシンメトリ特性変化を考慮したターゲットの設定が可能となる。
【００１２】
具体的には、前記ＯＰＣ実施により決定されたレーザパワーでのアシンメトリ値をＡ１、前記テスト書き込みで計測したアシンメトリ値をＡ２、光ディスク内周側のＯＰＣ実施位置から外周側でのテスト書き込み位置までの距離をＸとすると、近似式Ａは、［Ａ＝（Ａ２−Ａ１）／Ｘ＋Ａ１］となる。
【００１３】
制御部は、光ディスクの書き込み位置での目標となるアシンメトリ値を前記近似式Ａに従って随時設定して、ランニングＯＰＣを実施する。例えば、光ディスクの書き込み位置が、光ディスク内周側のＯＰＣ実施位置から外周側にＸ１の距離であった場合、書き込み開始時のターゲットとなるアシンメトリ値Ａ（Ｘ１）は、［Ａ（Ｘ１）＝Ｘ１（Ａ２−Ａ１）／Ｘ＋Ａ１］となる。なお、ＤＶＤ規格では、このアシンメトリ値は−０．０５〜＋０．１５の範囲内に入っていなければならないと規定されている。
【００１４】
また、本発明の光ディスク記録再生装置によれば、前記制御部は、前記光ディスクにデータの書き込みを行うたびに前記テスト書き込みを実施してアシンメトリ値を計測し、前記ＯＰＣ実施により決定されたレーザパワーでのアシンメトリ値と前記テスト書き込みで計測したアシンメトリ値との差分から上記近似式Ａをその都度算出するように構成してもよい。これにより、その都度、装置の動作環境や光ディスク自体の状態に応じた近似式Ａが算出されるので、より正確なターゲットアシンメトリ値を設定することが可能となる。
【００１５】
また、本発明の光ディスク記録再生装置は、光ピックアップによる光ディスクへの記録時に、記録中のレーザパワーを制御するランニングＯＰＣを実施する制御部を備えた光ディスク記録再生装置において、前記制御部は、光ディスク内周側でのＯＰＣの実施によって決定されたレーザパワーでディスク半径方向の複数箇所にてテスト書き込みを実施してそれぞれアシンメトリ値を計測し、前記ＯＰＣ実施により決定されたレーザパワーでのアシンメトリ値と前記テスト書き込みで計測したそれぞれのアシンメトリ値とに基づいてアシンメトリ値の近似式を算出し、前記光ディスクの書き込み位置での目標となるアシンメトリ値を前記近似式に従って随時設定して前記ランニングＯＰＣを実施することを特徴とする。すなわち、テスト書き込みをディスク半径方向の複数箇所にて行うことにより、より精度の高い近似式を算出することができる。
【００１６】
また、本発明の光ディスク記録再生装置は、光ピックアップによる光ディスクへの記録時に、記録中のレーザパワーを光ディスクからの反射光量により制御するランニングＯＰＣを実施する制御部を備えた光ディスク記録再生装置において、前記制御部は、光ディスク内周側でのＯＰＣの実施によって決定されたレーザパワーで光ディスク外周側にてテスト書き込みを実施して光ディスクからの反射光量を計測し、前記ＯＰＣ実施により決定されたレーザパワーでの反射光量と前記テスト書き込みで計測した反射光量との差分から反射光量の近似式を算出し、前記光ディスクの書き込み位置での目標となる反射光量を前記近似式に従って随時設定して前記ランニングＯＰＣを実施することを特徴とする。すなわち、反射光を使用するランニングＯＰＣを実施する装置では、アシンメトリ値の代わりに反射光量を測定して、同じように光ディスク内外での反射光量の近似式を算出し、この近似式を用いてランニングＯＰＣのターゲットを設定することにより、反射率特性変化を考慮したターゲットの設定が可能となる。
【発明の効果】
【００１７】
本発明によれば、ＯＰＣの実施によって決定されたレーザパワーで光ディスク外周側にてテスト書き込みを実施してアシンメトリ値を計測し、ＯＰＣ実施により決定されたレーザパワーでのアシンメトリ値とテスト書き込みで計測したアシンメトリ値との差分からアシンメトリ値の近似式を算出し、この近似式を用いてランニングＯＰＣのターゲットアシンメトリ値を設定することにより、光ディスクの全周に渡って反射率特性変化やアシンメトリ特性変化を考慮したターゲットを設定できるので、光ディスク全周に渡って良好な記録品質を得ることができる。
【００１８】
また、本発明によれば、光ディスクにデータの書き込みを行うたびにテスト書き込みを実施してアシンメトリ値を計測し、近似式をその都度算出するように構成したので、装置の動作環境や光ディスク自体の状態に応じた近似式の算出が可能であり、より正確なターゲットアシンメトリ値を設定することが可能となる。これにより、光ディスク全周に渡って最良な記録品質を得ることができる。
【発明を実施するための最良の形態】
【００１９】
以下、本発明の実施の形態について、図面を参照して説明する。
【００２０】
図１は、本発明の光ディスク記録再生装置の一実施形態であるＤＶＤレコーダのシステム構成を示している。
【００２１】
すなわち、装填された光ディスク１からデータを読み込むとともにデータの記録を行う光ピックアップ３の出力は、ＲＦアンプ５を介してデジタル信号処理回路７に接続されており、デジタル信号処理回路７の出力は、光ピックアップ３によるデータの書き込み時及び読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、レコーダ全体の動作制御を行うシステムコントローラ１０と双方向に接続されている。
【００２２】
デジタル信号処理回路７には、ディスクへの書き込み動作時や再生動作時にデータを一時的に蓄積するバッファとしての例えばＤＲＡＭ６が双方向に接続されているとともに、デジタルデータをアナログデータに変換してＣＲＴ等の表示装置２１に出力するＤ／Ａ変換回路１２が接続されている。
【００２３】
システムコントローラ１０には、光ディスク１のパラメータやレーザパワーのパラメータ等の固有情報を記憶しておくためのＥＥＰＲＯＭ１１が双方向に接続される。また、システムコントローラ１０には、テンキーや各種機能キーを有するリモコン１８からの赤外線信号を受信する受信部１４が接続されている。
【００２４】
デジタル信号処理回路７は、ＲＦアンプ５から出力されたＲＦ信号をデジタルデータに変換した後に光ディスク１のデータフォーマットに応じた信号復調処理と誤り訂正処理を行って生成したデータをＤＲＡＭ６に格納するとともに、格納したデータを読み出してＤ／Ａ変換回路１２に出力する処理を行う。
【００２５】
システムコントローラ１０は、光ディスク１の装填時に光ディスク１の所定の領域から制御情報（ファイル情報等）を読み込んでＤＲＡＭ６の所定領域に記録し、その後はこのＤＲＡＭ６の所定領域に記憶されている制御情報に基づいて再生処理を実行する。また、システムコントローラ１０は、光ピックアップ３による光ディスク１への記録時に、記録中のレーザパワーを制御するランニングＯＰＣを実施する。
【００２６】
ここで、本実施形態では、システムコントローラ１０は、ランニングＯＰＣの実施に際し、記録する光ディスクの内周側と外周側での各種特性を考慮したターゲットを設定するようになっている。以下、このターゲットの設定処理について、具体的に実施例を挙げて説明する。
【実施例１】
【００２７】
図２及び図３は本実施例１のターゲット設定処理動作を示すフローチャート、図４は近似式の説明図である。ただし、図２は近似式を求める処理動作を示すフローチャート、図３は求めた近似式を使ってランニングＯＰＣを実施する処理動作を示すフローチャートである。以下、図２及び図３に示すフローチャート及び図４に示す説明図を参照して本実施例１の処理動作を説明する。
【００２８】
光ディスク記録再生装置１では、光ディスク１に最初にデータを記録する前に、記録レーザパワーの最適化（ＯＰＣ）を行っている。すなわち、前もってパワーキャリブレーションを実施して試し書きを行い、その後の記録に最適なレーザパワーを決定している（ステップＳ１）。このＯＰＣは、光ディスク１の内周側に設けられたパワーキャリブレーションエリア（ＰＣＡ）に、記録レーザパワーの異なるデータを記録し、その記録したデータを再生することで行っている。システムコントローラ１０は、このＯＰＣ実施により決定されたレーザパワーでのアシンメトリ値を計測し、その内周側アシンメトリ値をＥＥＰＲＯＭ１１に保存する（ステップＳ２）。
【００２９】
次に、システムコントローラ１０は、このＯＰＣの実施によって決定されたレーザパワーで光ディスク外周側にてテスト書き込みを実施して（ステップＳ３）、アシンメトリ値を計測し、その外周側アシンメトリ値をＥＥＰＲＯＭ１１に保存する（ステップＳ４）。
【００３０】
次に、システムコントローラ１０は、ＯＰＣ実施により決定されたレーザパワーでの内周側アシンメトリ値と、テスト書き込みで計測した外周側アシンメトリ値との差分からアシンメトリ値の近似式Ａを算出する（ステップＳ５）。この近似式Ａは、ＥＥＰＲＯＭ１１に格納しておく。
【００３１】
具体的には、ＯＰＣ実施により決定されたレーザパワーでの内周側アシンメトリ値をＡ１、テスト書き込みで計測した外周側アシンメトリ値をＡ２、光ディスク内周側のＯＰＣ実施位置から外周側でのテスト書き込み位置までの距離をＸとすると、近似式Ａは、
Ａ＝（Ａ２−Ａ１）／Ｘ＋Ａ１
となる。
【００３２】
図４は、この近似式Ａをグラフで示している。このグラフでは、縦軸がアシンメトリ値、横軸が光ディスク内周側のＯＰＣ実施位置Ｚ１から外周側でのテスト書き込み位置Ｚ２までの距離Ｘを示している。具体的には、光ディスク内周側のＯＰＣ実施位置Ｚ１が光ディスク１の中心から約３０ｍｍの位置にあり、外周側でのテスト書き込み位置Ｚ２が光ディスク１の中心から約６０ｍｍの位置である。従って、距離Ｘは約３０ｍｍである。
【００３３】
ここで、光ディスクの内周と外周で反射率特性の変化やアシンメトリ特性の変化が無い場合には、両アシンメトリ値Ａ１，Ａ２は一致するはずであり、その場合の近似式Ａは図３（ａ），（ｂ）中一点鎖線で示すように傾きの無い水平な直線となる。一方、これら特性に変化がある場合には、両アシンメトリ値Ａ１，Ａ２は異なる値となり、その場合の近似式Ａは図３（ａ），（ｂ）中実線で示すように傾きのある直線となる。
【００３４】
このようにして近似式Ａを算出し、ＥＥＰＲＯＭ１１に格納した状態で、ディスク途中からの書き込み指示が入力されると（ステップＳ１１）、システムコントローラ１０は、この近似式Ａを用いてランニングＯＰＣのターゲットアシンメトリ値を算出し、設定する（ステップＳ１２）。
【００３５】
例えば、光ディスクの書き込み位置が、光ディスク内周側のＯＰＣ実施位置Ｚ１から外周側にＸ１の距離であった場合、書き込み開始時のターゲットとなるアシンメトリ値Ａ（Ｘ１）は、
Ａ（Ｘ１）＝ΔＸ（Ａ２−Ａ１）／Ｘ＋Ａ１
となる。
【００３６】
具体的数値を当てはめて説明すると、例えばＡ１が０．１、Ａ２が０．１５であり、書き込み位置（書き込み開始位置）Ｘ１が１５ｍｍであった場合、このときのターゲットアシンメトリ値Ａ（Ｘ１）は、
Ａ（Ｘ１）＝１５（０．１５−０．１）／３０＋０．１＝０．１２５
となる。これにより、反射率特性変化やアシンメトリ特性変化を考慮したターゲットの設定が可能となる。
【００３７】
システムコントローラ１０は、このアシンメトリ値Ａ（Ｘ１）＝０．１２５をターゲットに設定してランニングＯＰＣを実施しつつ、書き込み指示に従って光ディスク１へのデータの書き込みを行う（ステップＳ１３）。
【００３８】
システムコントローラ１０では、同じ光ディスク１に対してディスク途中からの書き込み指示があるたびに、上記ステップＳ１１〜ステップＳ１３の処理を実施することになる。つまり、書き込み指示があるたびに、近似式Ａに従って最適なターゲットアシンメトリ値をその都度設定するようになっている。
【実施例２】
【００３９】
上記実施例１では、近似式Ａを最初に算出すると、その後ディスク途中からの書き込み指示があるたびに、最初に算出した近似式Ａに従ってターゲットアシンメトリ値を設定する構成としているが、本実施例２では、ディスク途中からの書き込み指示があるたびに、近似式Ａもその都度算出して修正していく実施例である。以下、図５に示すフローチャートを参照して本実施例２の処理動作を説明する。
【００４０】
ＯＰＣ実施により決定されたレーザパワーでのアシンメトリ値を計測し、その内周側アシンメトリ値をＥＥＰＲＯＭ１１に保存している状態において、ディスク途中からの書き込み指示が入力されると（ステップＳ２１）、システムコントローラ１０は、先のＯＰＣの実施によって決定されたレーザパワーで光ディスク外周側にてテスト書き込みを実施して（ステップＳ２２）、アシンメトリ値を計測し、その外周側アシンメトリ値をＥＥＰＲＯＭ１１に保存する（ステップＳ２３）。
【００４１】
次に、システムコントローラ１０は、ＯＰＣ実施により決定されたレーザパワーでの内周側アシンメトリ値と、テスト書き込みで計測した外周側アシンメトリ値との差分からアシンメトリ値の近似式Ａを算出する（ステップＳ２４）。この近似式Ａは、ＥＥＰＲＯＭ１１に格納しておく。
【００４２】
次に、システムコントローラ１０は、この近似式Ａを用いてランニングＯＰＣのターゲットアシンメトリ値Ａ（Ｘ１）を算出し、設定する（ステップＳ２５）。そして、このアシンメトリ値Ａ（Ｘ１）をターゲットに設定してランニングＯＰＣを実施しつつ、書き込み指示に従って光ディスク１へのデータの書き込みを行う（ステップＳ２６）。
【００４３】
システムコントローラ１０では、同じ光ディスク１に対してディスク途中からの書き込み指示があるたびに、上記ステップＳ２１〜ステップＳ２６の処理を実施する。つまり、書き込み指示があるたびに、近似式Ａの算出を行って近似式Ａ自体もその都度修正を加えることにより、より最適なターゲットアシンメトリ値をその都度設定するようになっている。
【実施例３】
【００４４】
上記実施例１では、ＯＰＣの実施によって計測された内周側のアシンメトリ値と、テスト書き込みの実施によって計測された外周側のアシンメトリ値の２つのアシンメトリ値に基づき、これら２点を直線で結んだ近似式を算出しているが、本実施例３では、このテスト書き込みをディスク半径方向の複数箇所にて実施してそれぞれアシンメトリ値を計測し、ＯＰＣ実施により決定されたレーザパワーでのアシンメトリ値と、テスト書き込みで計測したそれぞれのアシンメトリ値とに基づいて近似式を算出する。
【００４５】
例えば、ディスクの半径方向中央部と外周部の２箇所でテスト書き込みをして、それぞれのアシンメトリ値を計測する。これにより、近似式を求めるときのアシンメトリ値は、ディスク内周側でのアシンメトリ値と、ディスク中央部でのアシンメトリ値と、ディスク外周側でのアシンメトリ値の３値となる。そのため、例えば図６に示すように、ディスク内周側でのアシンメトリ値をＡ１１とし、ディスク中央部でのアシンメトリ値をＡ１２とし、ディスク外周部でのアシンメトリ値をＡ１３とすると、近似式Ａは図中実線で示すような直線となる。すなわち、ディスク中央部のアシンメトリ値Ａ１２も考慮された近似式Ａとなるため、ディスク内周側から外周側までの全領域に渡ってディスクの特性変化が考慮された、より精度の高い近似式Ａを算出することが可能となる。
【実施例４】
【００４６】
上記各実施例１〜３は、ランニングＯＰＣのターゲットとしてアシンメトリ値を設定しているが、本実施例では、光ディスクからの反射光量をターゲットとしてランニングＯＰＣを実施する場合の実施例である。すなわち、本実施例３では、光ディスク記録再生装置１は、光ピックアップ３による光ディスク１への記録時に、記録中のレーザパワーを光ディスク１からの反射光量により制御するランニングＯＰＣを実施する。
【００４７】
以下、図７及び図８に示すターゲット設定処理動作を示すフローチャートを参照して、本実施例４の処理動作を説明する。
【００４８】
システムコントローラ１０は、まずＯＰＣを実施し（ステップＳ３１）、このＯＰＣ実施により決定されたレーザパワーでの反射光量を計測（具体的には、出射光量に対する反射光量の比率を計測）し、その内周側の反射光量をＥＥＰＲＯＭ１１に保存する（ステップＳ３２）。
【００４９】
次に、システムコントローラ１０は、ＯＰＣの実施によって決定されたレーザパワーで光ディスク外周側にてテスト書き込みを実施して（ステップＳ３３）、反射光量を計測し、その外周側反射光量をＥＥＰＲＯＭ１１に保存する（ステップＳ３４）。
【００５０】
次に、システムコントローラ１０は、ＯＰＣ実施により決定されたレーザパワーでの内周側反射光量と、テスト書き込みで計測した外周側反射光量との差分から反射光量の近似式Ｌを算出する（ステップＳ３５）。この近似式Ｌは、ＥＥＰＲＯＭ１１に格納しておく。
【００５１】
具体的には、ＯＰＣ実施により決定されたレーザパワーでの内周側反射光量をＡ１（％）、テスト書き込みで計測した外周側反射光量をＡ２（％）、光ディスク内周側のＯＰＣ実施位置から外周側でのテスト書き込み位置までの距離をＸとすると、近似式Ｌは、
Ｌ＝（Ｌ２−Ｌ１）／Ｘ＋Ｌ１
となる。
【００５２】
このようにして近似式Ｌを算出し、ＥＥＰＲＯＭ１１に格納した状態で、ディスク途中からの書き込み指示が入力されると（ステップＳ４１）、システムコントローラ１０は、この近似式Ｌを用いてランニングＯＰＣのターゲットとなる反射光量を算出し、設定する（ステップＳ４２）。
【００５３】
例えば、光ディスクの書き込み位置が、光ディスク内周側のＯＰＣ実施位置Ｚ１から外周側にＸ１の距離であった場合、書き込み開始時のターゲットとなる反射光量Ｌ（Ｘ１）は、
Ｌ（Ｘ１）＝ΔＸ（Ｌ２−Ｌ１）／Ｘ＋Ｌ１
となる。
【００５４】
これにより、反射率特性変化やアシンメトリ特性変化を考慮したターゲットの設定が可能となる。システムコントローラ１０は、この反射光量Ｌ（Ｘ１）をターゲットに設定してランニングＯＰＣを実施しつつ、書き込み指示に従って光ディスク１へのデータの書き込みを行う（ステップＳ４３）。
【００５５】
システムコントローラ１０では、同じ光ディスク１に対してディスク途中からの書き込み指示があるたびに、上記ステップＳ４１〜ステップＳ４３の処理を実施することになる。つまり、書き込み指示があるたびに、近似式Ｌに従って最適な反射光量をその都度ターゲットに設定するようになっている。
【図面の簡単な説明】
【００５６】
【図１】本発明のディスク再生装置の一実施形態であるＤＶＤレコーダのシステム構成図である。
【図２】実施例１のターゲット設定処理動作のうち、近似式を求める処理動作を示すフローチャートである。
【図３】実施例１のターゲット設定処理動作のうち、求めた近似式を使ってランニングＯＰＣを実施する処理動作を示すフローチャートである。
【図４】実施例１に係る近似式の説明図である。
【図５】実施例２のターゲット設定処理動作を示すフローチャートである。
【図６】実施例３に係る近似式の説明図である。
【図７】実施例４のターゲット設定処理動作のうち、近似式を求める処理動作を示すフローチャートである。
【図８】実施例４のターゲット設定処理動作のうち、求めた近似式を使ってランニングＯＰＣを実施する処理動作を示すフローチャートである。
【符号の説明】
【００５７】
１  光ディスク
２  スピンドルモータ
３  ピックアップ
４  フィードモータ
５  ＲＦアンプ
６  ＤＲＡＭ
７  デジタル信号処理回路
８  レーザドライバ
９  サーボ処理回路
１０  システムコントローラ
１１  ＥＥＰＲＯＭ
１２  Ｄ／Ａ変換回路
１３  表示パネル
１４  受信部
１８  リモコン
２１  表示装置
【図１】
2007328844.tif 000003
【図２】
2007328844.tif 000004
【図３】
2007328844.tif 000005
【図４】
2007328844.tif 000006
【図５】
2007328844.tif 000007
【図６】
2007328844.tif 000008
【図７】
2007328844.tif 000009
【図８】
2007328844.tif 000010